(57)【特許請求の範囲】
【請求項１】
駐車料金の精算が済むと車両の出庫を可能にする駐車場管理システムであって、
前記駐車料金の精算、及び前記駐車料金の精算が済むまで前記車両の出庫を制限する出庫制限装置の制御を行う精算制御部と、
ＡＥＤ（自動体外式除細動器）と、前記ＡＥＤを収納する収納部と、前記収納部からの前記ＡＥＤの持ち出しを検知可能な検知部とを有するＡＥＤ部と
を有する駐車料金精算機と、
駐車場の存在を示す看板に取り付けられ、前記検知部による検知結果をもとに、前記ＡＥＤの使用状態を報知する報知部と
を具備する駐車場管理システム。
【請求項２】
請求項１に記載の駐車場管理システムであって、
前記報知部は、所定の画像を表示する表示部と、前記所定の画像の表示を制御する表示制御部とを有する
駐車場管理システム。
【請求項３】
請求項２に記載の駐車場管理システムであって、
前記所定の画像は、ＡＥＤの文字を含む画像である
駐車場管理システム。
【請求項４】
請求項２又は３に記載の駐車場管理システムであって、
前記検知部は、前記収納部に前記ＡＥＤが収納されている第１の状態と、前記収納部から前記ＡＥＤが持ち出されている第２の状態とを、それぞれ検知可能であり、
前記報知部は、前記第１及び前記第２の状態をそれぞれ区別して報知する
駐車場管理システム。
【請求項５】
請求項４に記載の駐車場管理システムであって、
前記報知部は、前記第１の状態を前記ＡＥＤが使用可能である状態として報知し、前記第２の状態を前記ＡＥＤが使用されている状態として報知する
駐車場管理システム。
【請求項６】
請求項５に記載の駐車場管理システムであって、
前記報知部は、前記ＡＥＤが使用可能である状態を前記所定の画像を点灯させることで報知し、前記ＡＥＤが使用されている状態を前記所定の画像を点滅させることで報知する
駐車場管理システム。
【請求項７】
請求項１から６のうちいずれか１項に記載の駐車場管理システムであって、
前記駐車料金精算機は、駐車場を管理する外部の管理機構に接続され、音声の送受信による通話、及びデータの送受信が可能な通信部を有する
駐車場管理システム。
【請求項８】
請求項７に記載の駐車場管理システムであって、
前記通信部は、前記外部の管理機構から送信された前記駐車料金精算機の動作を遠隔操作により制御するためのデータを受信する
駐車場管理システム。
【請求項９】
請求項８に記載の駐車場管理システムであって、
前記収納部は、施錠可能な開閉扉を有し、
前記通信部は、前記開閉扉の施錠及び解錠を制御するためのデータを受信する
駐車場管理システム。
【請求項１０】
請求項７から９のうちいずれか１項に記載の駐車場管理システムであって、
前記駐車料金精算機は、前記駐車料金精算機の周辺を撮影可能な撮像部を有し、
前記通信部は、前記撮像部により撮影された撮影画像を、前記外部の管理機構に送信可能である
駐車場管理システム。
【請求項１１】
請求項１から１０のうちいずれか１項に記載の駐車場管理システムであって、
前記ＡＥＤ部は、前記ＡＥＤと一体的に設けられ、前記ＡＥＤが持ち出されると自動的に通話可能な状態となる携帯端末を有する
駐車場管理システム。
【請求項１２】
請求項１１に記載の駐車場管理システムであって、
前記携帯端末は、前記携帯端末の現在の位置情報を取得可能である
駐車場管理システム。
【請求項１３】
請求項１２に記載の駐車場管理システムであって、
前記ＡＥＤ部は、前記携帯端末により取得された位置情報と、前記駐車料金精算機の位置情報とが合致するか否かを判定する判定部を有する
駐車場管理システム。
【請求項１４】
請求項１３に記載の駐車場管理システムであって、
前記検知部は、前記収納部に前記ＡＥＤが収納されている第１の状態と、前記収納部から前記ＡＥＤが持ち出されている第２の状態とを、それぞれ検知可能であり、
前記報知部は、前記第１及び前記第２の状態をそれぞれ区別して報知し、前記第２の状態を報知した後、前記検知部により前記第１の状態が検知され、前記判定部による判定の結果が肯定となる場合に、前記第１の状態を報知する
駐車場管理システム。
【発明の詳細な説明】
【技術分野】
【０００１】
本発明は、有料駐車場を管理する駐車場管理システム及び駐車料金精算機に関する。
【背景技術】
【０００２】
従来、管理人等が常駐しない無人の有料駐車場が多く用いられている。例えば特許文献１には、そのような無人管理の駐車場において、外部から提供される時刻情報に基づいて駐車料金精算機の内部時計を正確に設定することが可能な駐車場管理システムについて開示されている（特許文献１の段落［００１３］［００３８］等）。
【０００３】
また従来、一般市民でも利用可能な医療器具として、ＡＥＤ（Automated External Defibrillator）（自動体外式除細動器）が開発され、公共施設や病院等に設置されている。例えば特許文献２には、ＡＥＤを搭載した自動販売機について開示されおり、ＡＥＤの起動を検知すると商品見本を照らす照明装置を強制的に点灯させることで、ＡＥＤの操作性を向上させる旨が記載されている（特許文献２の段落［０００５］等）。
【先行技術文献】
【特許文献】
【０００４】
【特許文献１】特開２００９−２３８１３３号公報
【特許文献２】特開２００８−１２９７１０号公報
【発明の概要】
【発明が解決しようとする課題】
【０００５】
有料駐車場を設置する場合には、稼働率を向上させるために、駐車場が設置されていることや設置場所を広く知ってもらうことが重要となる。またＡＥＤの普及を促進して社会に貢献することが可能な技術も求められている。
【０００６】
以上のような事情に鑑み、本発明の目的は、駐車場の存在を広く認識させることが可能であり、社会貢献にも寄与できる駐車場管理システム、及び駐車料金精算機を提供することにある。
【課題を解決するための手段】
【０００７】
上記目的を達成するため、本発明の一形態に係る駐車場管理システムは、駐車料金の精算が済むと車両の出庫を可能にする駐車場管理システムであって、駐車料金精算機と、報知部とを具備する。
前記駐車料金精算機は、精算制御部と、ＡＥＤ部とを有する。
前記精算制御部は、前記駐車料金の精算、及び前記駐車料金の精算が済むまで前記車両の出庫を制限する出庫制限装置の制御を行う。
前記ＡＥＤ部は、ＡＥＤ（自動体外式除細動器）と、前記ＡＥＤを収納する収納部と、前記収納部からの前記ＡＥＤの持ち出しを検知可能な検知部とを有する。
前記報知部は、前記検知部による検知結果をもとに、前記ＡＥＤの使用状態を報知する。
【０００８】
前記報知部は、駐車場の存在を示す看板に取り付けられた所定の画像を表示する表示部と、前記所定の画像の表示を制御する表示制御部とを有してもよい。
【０００９】
前記所定の画像は、ＡＥＤの文字を含む画像であってもよい。
【００１０】
前記検知部は、前記収納部に前記ＡＥＤが収納されている第１の状態と、前記収納部から前記ＡＥＤが持ち出されている第２の状態とを、それぞれ検知可能であってもよい。この場合、前記報知部は、前記第１及び前記第２の状態をそれぞれ区別して報知してもよい。
【００１１】
前記報知部は、前記第１の状態を前記ＡＥＤが使用可能である状態として報知し、前記第２の状態を前記ＡＥＤが使用されている状態として報知してもよい。
【００１２】
前記報知部は、前記ＡＥＤが使用可能である状態を前記所定の画像を点灯させることで報知し、前記ＡＥＤが使用されている状態を前記所定の画像を点滅させることで報知してもよい。
【００１３】
前記駐車料金精算機は、駐車場を管理する外部の管理機構に接続され、音声の送受信による通話、及びデータの送受信が可能な通信部を有してもよい。
【００１４】
前記通信部は、前記外部の管理機構から送信された前記駐車料金精算機の動作を遠隔操作により制御するためのデータを受信してもよい。
【００１５】
前記収納部は、施錠可能な開閉扉を有してもよい。この場合、前記通信部は、前記開閉扉の施錠及び解錠を制御するためのデータを受信してもよい。
【００１６】
前記駐車料金精算機は、前記駐車料金精算機の周辺を撮影可能な撮像部を有してもよい。この場合、前記通信部は、前記撮像部により撮影された撮影画像を、前記外部の管理機構に送信可能であってもよい。
【００１７】
前記ＡＥＤ部は、前記ＡＥＤと一体的に設けられ、前記ＡＥＤが持ち出されると自動的に通話可能な状態となる携帯端末を有してもよい。
【００１８】
前記携帯端末は、前記携帯端末の現在の位置情報を取得可能であってもよい。
【００１９】
前記ＡＥＤ部は、前記携帯端末により取得された位置情報と、前記駐車料金精算機の位置情報とが合致するか否かを判定する判定部を有してもよい。
【００２０】
前記報知部は、前記第２の状態を報知した後、前記検知部により前記第１の状態が検知され、前記判定部による判定の結果が肯定となる場合に、前記第１の状態を報知してもよい。
【００２１】
本発明の一形態に係る駐車料金精算機は、精算制御部と、ＡＥＤ部と、報知制御部とを有する。
前記精算制御部は、前記駐車料金の精算、及び前記駐車料金の精算が済むまで前記車両の出庫を制限する出庫制限装置の制御を行う。
前記ＡＥＤ部は、ＡＥＤと、前記ＡＥＤを収納する収納部と、前記収納部からの前記ＡＥＤの持ち出しを検知可能な検知部とを有する。
前記報知制御部は、前記検知部による検知結果をもとに、前記ＡＥＤの使用状態を報知する報知部を制御する。
【発明の効果】
【００２２】
以上のように、本発明によれば、駐車場の存在を広く認識させることが可能であり、また社会貢献にも寄与することができる。
【図面の簡単な説明】
【００２３】
【図１】一実施形態に係る駐車場管理システムが適用される駐車場のレイアウト例を示す概略図である。
【図２】精算機及び案内看板の構成例を示す模式的な外観図である。
【図３】精算機本体、カメラユニット、及び案内看板の機能的な内部構成例を示すブロック図である。
【図４】駐車場管理センターを含む駐車場管理システムの構成例を示す概略図である。
【図５】ＡＥＤユニットの機能的な内部構成例を示すブロック図である。
【発明を実施するための形態】
【００２４】
以下、本発明に係る実施形態を、図面を参照しながら説明する。
【００２５】
図１は、本発明の一実施形態に係る駐車場管理システムが適用される駐車場のレイアウト例を示す概略図である。駐車場１０は、例えば公道１に面して設置され、利用者３は車両５の入庫、駐車、及び出庫が可能である。
【００２６】
駐車場１０は、柵１１と、出入口１２と、複数の駐車スペース１３と、駐車料金精算機（以下、単に精算機と記載する）１４と、案内看板１５と、中継装置１６とを有する。柵１１は、駐車場１０の周囲に設けられ、車両５が入場／退場する出入口１２の部分は開放されている。複数の駐車スペース１３の各々には、駐車場１０に入庫する車両５が駐車される（図１では、駐車車両５'が二点鎖線で図示されている）。
【００２７】
図１に示すように、複数の駐車スペース１３の各々には、スペース番号（車室番号）１７が付せられる。また各駐車スペース１３には、タイヤ止め１８と、フラップ装置１９と、ループコイル２０が配置される。フラップ装置１９は、本実施形態において、駐車料金の精算が済むまで車両５の出庫を制限する出庫制限装置として機能する。出庫制限装置として、フラップ装置１９に代わりに、出入口１２にゲートが配置されてもよい。その他、精算前の出庫を制限するための方法及び構成は限定されない。
【００２８】
ループコイル２０は、各駐車スペース１３にそれぞれ埋設される。ループコイル２０は、各駐車スペース１３における車両５の有無を検知するために設けられる。また図１に示すように、出入口１２の駐車場１０内部側にも、１対のループコイル２１ａ及び２１ｂが埋設される。１対のループコイル２１ａ及び２１ｂは、車両５の進行方向を検知するために設けられる。
【００２９】
精算機１４は、利用者３が駐車料金の精算をする際に用いられる。精算機１４は、駐車料金の精算、及び出庫制限装置の制御を実行する。精算機１４は、駐車場１０内の任意の位置に配置可能であるが、典型的には、出入口１２の付近であって車両５の通路から外れた安全な位置に配置される。案内看板１５は、駐車場１０の存在を示すものであり、周囲に目立つように、例えば出入口１２の付近に配置される。
【００３０】
中継装置１６は、精算機１４と案内看板１５とを接続する装置である。また中継装置１６には、各駐車スペース１３に埋設されたループコイル２０が一括で配線される。中継装置１６の内部には図示しない車両検知器が多数設けられており、各駐車スペース１３に駐車された車両５を検知することが可能である。
【００３１】
駐車場１０を利用する際には、利用者３は車両５を運転して出入口１２から駐車場１０に入場する。そして空いている駐車スペース１３に車両５を駐車する。駐車スペース１３に埋設されたループコイル２０は常時発振しており、車両５の金属部分に反応してインダクタンスが変化すると、中継装置１６の車両検知装置により車両５の入庫が検知される。この検知結果をもとにフラップ装置１９が起動し、精算が済むまで車両５の出庫が制限される。
【００３２】
駐車場１０から車両５を出す場合には、利用者３は精算機１４にて駐車料金の精算を行う。精算機１４により駐車料金の精算が実行され、精算が済むとフラップ装置１９が制御されて出庫の制限が解除される。利用者３は車両５を運転して、出入口１２を通って公道１に出る。
【００３３】
出入口１２から車両５が出る際には、車両５が一対のループコイル２１ａ及び２１ｂ上を通過する。ループコイル２１ａ及び２１ｂではそれぞれ車両が検知されるが、これらの検知の順番によって、車両５の入庫及び出庫を識別することが可能である。すなわち中継装置１６内の車両検知装置により、ループコイル２１ｂのインダクタンスの変化及びループコイル２１ａのインダクタンスの変化が、この順番で入力された場合には退場と検知され、案内看板１５により車両５の退場が報知される。これにより駐車場１０から退場する車両５と、入場しようとする車両５が出会い頭に衝突する事故を防止することができる。
【００３４】
このように本実施形態に係る駐車場管理システムは、駐車料金の精算が済むと車両５の出庫を可能とする。以下、駐車場管理システムの構成要素となる、精算機１４及び案内看板１５について詳しく説明する。
【００３５】
図２は、精算機１４及び案内看板１５の構成例を示す模式的な外観図である。精算機１４は、前扉２３と、パネル板２４と、インターフォン２５と、スピーカ２６と、カメラユニット２７と、ＡＥＤ収納ボックス（収納部）２８とを有する。前扉２３は、前扉２３の下部側に設けられた開閉鍵２９及び開閉ハンドル３０を操作することで開閉可能であり、常時は施錠されている。
【００３６】
パネル板２３は、前扉２３に設けられる。パネル板２４の上段部には、駐車料金やその他のガイド等を表示する表示画面３１と、利用者３が駐車料金を精算する時に車室番号を入力したり、その他各種操作を入力したりする場合に用いられる操作キー群３２とが設けられる。
【００３７】
またパネル板２４の中段部には、駐車券や定期券やプリペイドカードなどのカード類が挿入されるカード挿入口３３と、駐車料金の精算時に紙幣を挿入する紙幣挿入口３４、及びコインを投入する硬貨投入口３５が設けられる。またパネル板２４の下段部には、釣銭・領収書取出口３６が設けられる。
【００３８】
駐車料金を精算する際には、例えば利用者３は、操作キー群３２内のテンキーを操作して、自分の車両５を駐車している車室番号を入力する。そうすると駐車時間及び駐車料金が算出されて表示画面３１に表示される。利用者３は、表示された駐車料金を紙幣挿入口３４や硬貨投入口３５を介して支払う。支払が済むと駐車料金の精算が済み、フラップ装置１９のロック（出庫の制限）が解除される。
【００３９】
インターフォン２５は、パネル板２４の硬貨投入口３５の下方に設けられる。インターフォン２５は、係員呼び出し用の通話ボタン３７を有する。例えば精算機１４の使用方法が分からない場合や、精算機１４が故障した場合等に、インターフォン２５が利用される。またＡＥＤの使用が必要となるような緊急事態等において、緊急事態を知らせるためや、ＡＥＤの使用方法を教えてもらうために、インターフォン２５を利用することが可能である。
【００４０】
スピーカ２６は、パネル板２４の釣銭・領収書取出口３６の横に設けられる。利用者３は、インターフォン２５及びスピーカ２６を用いることで、遠隔地の駐車場管理センターに常駐する係員（オペレータ）と対話することが可能である。駐車場管理センターは、本実施形態において、駐車場を管理する外部の管理機構に相当する。
【００４１】
カメラユニット２７は、精算機１４の周辺を撮影可能なカメラ（撮像部）３８を有する。精算機１４の周辺とは、精算機１４の周囲全ての範囲であってもよいし、前方や側方等の所定の方向のみの範囲であってもよい。またカメラユニット２７は、駐車場管理センターと通信を可能とする機能を有する。当該機能については後に説明する。
【００４２】
本実施形態では、精算機１４の上面にカメラユニット２７が載置される。以下、カメラユニット２７を支持する筐体部分を、精算機本体３９と記載する場合がある。すなわち精算機１４は、精算機本体３９と、精算機本体３９に載置されたカメラユニット２７とを有することになる。
【００４３】
ＡＥＤ４１を収納するＡＥＤ収納ボックス２８は、精算機１４の正面から見て右側の側面に固定されている。ＡＥＤ収納ボックス２８の前面には、施錠可能な開閉扉４２が設けられる。開閉扉４２は、ガラスや強化プラスチック製の透明な窓部４３を介して、内部が視認可能になっている。また開閉扉４２には、ハンドル４４が設けられ、ポップアップボタンを押下するとハンドル４４が手前にポップアップし、開閉扉４２の開閉が可能となる。なお開閉扉４２は、緊急事態の発生に応じて速やかにＡＥＤ４１が使用可能なように、常時は解錠されている。
【００４４】
また精算機１４の側面のＡＥＤ収納ボックス２８の上方には、ＡＥＤを利用する際の利用規約や緊急連絡先等が記載された注意書き４５が貼り付けられる。
【００４５】
案内看板１５は、地面から上空に延在するポスト部５１と、ポスト部５１の上部の高所に取り付けられる看板部５２を有する。長尺のポスト部５１を設置し、その上端部に看板部５２を取り付けることで、周囲から看板部５２が視認しやすくなる。その結果、駐車場１０の存在を広く認識させることが可能となる。
【００４６】
図２に示すように、看板部５２には、駐車場を示すＰのマークが表記される。その他、駐車場名や所定のロゴマークが表示されてもよい。また看板部５２には、満車か空車かを示す満空表示部５３と、ＡＥＤ表示部５４とが設けられる。さらに看板部５２の上部には、回転灯５５が設置される。
【００４７】
満空表示部５３は、多数のＬＥＤが縦横に配置されたＬＥＤユニットである。中継装置１６に設けられた車両検知装置による検知結果をもとに、満及び空の文字が互いに切替えられて表示される。満空表示部５３としてＬＥＤ以外の光源を有する表示装置が用いられてもよい。
【００４８】
ＡＥＤ表示部５４は、駐車場１０内にＡＥＤ４１が存在することを報知するために、所定の画像を表示させる。所定の画像は、典型的には、ＡＥＤの文字を含む画像である。所定の画像として、ＡＥＤの文字及び心臓のマークを含む画像、又は心臓のマークのみの画像が表示されてもよい。周囲の人たちがＡＥＤ４１の存在を認識可能であるのならば、所定の画像は任意に構成されてよい。
【００４９】
またＡＥＤ表示部５４は、ＡＥＤ４１の使用状態を報知することが可能である。後にも説明するが、本実施形態では、ＡＥＤ４１が使用可能である状態（第１の状態）と、ＡＥＤ４１が使用されている、すなわちＡＥＤ４１を使用中である状態（第２の状態）とが、それぞれ区別して報知される。具体的には、ＡＥＤの文字を点灯させることでＡＥＤ４１が使用可能である状態が報知され、ＡＥＤの文字を点滅させることで、ＡＥＤ４１が使用されている状態が報知される。
【００５０】
これにより近隣の住民等の周囲の人たちに、この駐車場１０にはＡＥＤ４１が備えられていること、緊急事態にはＡＥＤ４１が使用可能であること等を認識させることが可能となる。その結果、駐車場１０の存在も十分に認識させることが可能となり、稼働率を向上させることができる。
【００５１】
またＡＥＤの文字を点滅させることで、緊急事態が発生してＡＥＤ４１が使用中であることを周囲に報知することができる。これにより周囲の人の応援や適切な対応が迅速に可能となり、また駐車場１０に向かう救急車両の有効な目印にもなる。さらにＡＥＤの普及を促進することが可能となり、社会貢献にも十分に寄与することができる。
【００５２】
ＡＥＤ表示部５４の構成は限定されず、例えばＡＥＤの文字が書かれたプラスチック製のパネルと、内部に設けられたバックライト用ランプが用いられ、ランプの点灯及び点滅が制御される。あるいはＬＥＤが並べられたＬＥＤユニットが用いられてもよい。その他任意の画像表示装置が用いられてもよく、満空表示部５３とＡＥＤ表示部５４とが一体的に構成されてもよい。
【００５３】
Ｐマーク、満空表示部５３、及びＡＥＤ表示部５４は、看板部５２の表面及び裏面の２箇所にそれぞれ設けられる。これによりこれらの情報を広く報知することができる。また看板部５２が回転するような構成が採用されてもよい。
【００５４】
図３は、精算機１４（精算機本体３９及びカメラユニット２７）、及び案内看板１５の機能的な内部構成例を示すブロック図である。精算機本体３９内の各ブロックにより、精算制御部が実現される。
【００５５】
精算機本体３９は、ＣＰＵ（Central Processing Unit）６１と、メモリ６２と、これらとバス６３を介して接続されるインターフェイス６４とを有する。メモリ６２は、例えばＲＯＭ（Read Only Memory）、ＲＡＭ（Random Access Memory）、フラッシュメモリ等から構成され、システムプログラムやその他のプログラムを格納すると共に、種々の駐車データを記憶する。
【００５６】
インターフェイス６４には、カードリーダ６５、表示画面３１、操作キー群３２、領収書プリンタ６６、コインセレクタ６７、硬貨払い出し装置６８、紙幣リーダ６９、及びスピーカ２６が接続されている。これらの動作はプログラムに従って動作するＣＰＵ６１により制御され、例えば表示画面３１により表示されたガイドとスピーカ２６による音声ガイドとを交えながら、駐車料金の精算、釣銭の払い出し、領収証の発行等を円滑に行うことが可能となっている。
【００５７】
またインターフェイス６４には、フラップ装置制御部７０、外部入出力部７１、外部通信部７２、収納ボックス鍵ロック部（以下単に鍵ロック部と記載する）７３、及びＡＥＤ収納センサ（検知部）７４を有する。これらのブロックもＣＰＵ６１により制御される。例えばフラップ装置制御部７０からは、各駐車スペース１３に配置されたフラップ装置１９を制御する信号が出力される。当該信号は、外部入出力部７１を介してフラップ装置１９に出力される。その際に、中継装置１６を介して制御信号が出力されてもよい。
【００５８】
鍵ロック部７３は、ＡＥＤ収納ボックス２８の開閉扉２９の施錠及び解錠を電子的に行う。ＡＥＤ収納センサ７４は、ＡＥＤ収納ボックス２８からのＡＥＤ４１の持ち出しを検知する。開閉扉２９の施錠及び解錠、及びＡＥＤ４１の持ち出しの検知をそれぞれ実現するための構成や方法は限定されず、任意の方法及び構成が採用されてよい。
【００５９】
ＡＥＤ収納センサ７４は、ＡＥＤ収納ボックス２８にＡＥＤ４１が収納されている第１の状態と、ＡＥＤ収納ボックス２８からＡＥＤ４１が持ち出されている第２の状態とを、それぞれ検知可能である。これらの検知結果は、中継装置１６を介して案内看板１５に出力される。
【００６０】
外部通信部７２は、カメラユニット２７が有する、通信ユニット７５と接続される。通信ユニット７５は、遠隔地の駐車場管理センターと、音声の送受信による通話、及びデータの送受信が可能なように接続される。駐車場管理センターとの間で送受信されるデータは、精算機１４の遠隔操作により制御するためのデータを含む。
【００６１】
すなわち本実施形態では、駐車場管理センターのオペレータにより、精算機１４の動作を遠隔操作することが可能である。例えば駐車料金の精算に関する種々の処理や、案内看板１５に設けられた満空表示部５３及びＡＥＤ表示部５４の動作が、遠隔操作により制御される。またカメラユニット２７のカメラ３８の動作や、開閉扉４２の施錠及び解錠が遠隔操作により制御される。通信ユニット７５は、本実施形態において通信部として機能する。カメラユニット２７ではなく、精算機本体３９に通信ユニットが設けられてもよい。
【００６２】
図３に示すように、通信ユニット７５は、データ端末装置（ＤＣＥ：Data Circuit Terminating Equipment）７６と、これに接続されるインターフェイス７７とを有する。インターフェイス７７には、精算機本体３９の外部通信部７２、カメラ３８、及びインターフォン２５が接続される。
【００６３】
インターフェイス７７は、データ端末装置７６を介して公衆のＰＨＳ（Personal Handy−Phone System）網や、ＩＳＤＮ網などの広域通信回線網と接続される。これにより精算機１４と、駐車場管理センターとの間で通信が可能となる。例えばカメラ３８により撮影された撮影画像を駐車場管理センターに送信することも可能となる。なおＤＣＥとは、精算機１４から送られてきた信号を広域通信回線用の信号に変換する装置であり、一般的にはモデムやターミナルアダプタと云われるものである。
【００６４】
案内看板１５は、内部に制御部（表示制御部）７８を有する。制御部７８は、満空表示部５３の表示内容を制御し、またＡＥＤ表示部５４のバックライトの点灯、消灯、及び点滅を制御する。また制御部７８は、回転灯５５の動作を制御する。回転灯５５は点灯・点滅するランプがモータにより回転する装置であり、回転時にはブザー音が警報音として発生する。回転灯５５は、駐車場１０から車両５が退場する際の報知に用いられる。
【００６５】
精算機本体３９のＡＥＤ収納センサ７４から、第１の状態の検知を示す信号が出力されると、制御部７８は、バックライトを点灯させて、ＡＥＤ４１が使用可能であることを報知する。ＡＥＤ収納センサ７４から、第２の状態の検知を示す信号が出力されると、制御部７８は、バックライトを点滅させて、ＡＥＤ４１が使用中であることを報知する。
【００６６】
案内看板１５に取り付けられたＡＥＤ表示部５４及び制御部７８は、本実施形態において、報知部として機能する。駐車場１０の敷地内において、案内看板１５とは別の場所に、ＡＥＤ表示部とこれを制御する表示制御部とを有する報知部が構成されてもよい。
【００６７】
図４は、遠隔地の駐車場管理センターを含む駐車場管理システムの構成例を示す概略図である。駐車場管理センター８０には、オペレータが操作する複数の管理ＰＣ８１と、各種データを一元的に保管する駐車場管理サーバ８２とが設置される。図示しないが、各管理ＰＣ８１には、オペレータ用のヘッドセット（ヘッドホンとマイク）が接続されている。オペレータは、ヘッドセットを用いて、駐車場１０の利用者３と対話する。
【００６８】
管理ＰＣ８１は、図示しない一般的なインターネット接続アダプタを介してインターネット８３に接続されており、さらに予め契約した広域通信回線網８４と相互に通信可能な状態となっている。広域通信回線網８４を介して、遠隔地に点在している複数の駐車場１０の情報が一元的に管理ＰＣ８１において把握可能となっている。これら複数の駐車場１０を含めて駐車場管理システムが構築されている。
【００６９】
各地に設置された駐車場１０の規模が小さい場合、常駐の管理係員を配備することはコスト的に不可能であり、そのため駐車場１０を十分に管理することが難しかった。従って図４に示すような駐車場管理システムを構築することで、無人の有料駐車場を一括で遠隔監視して不慮の事態に備え、かつ、収益性や利便性を向上させることが可能となった。
【００７０】
図４及び図５を参照して、ＡＥＤ収納ボックス２８に収納されているＡＥＤユニット８５について説明する。図４では、ＡＥＤユニット８５の構成例を示す正面図が図示されている。図５は、ＡＥＤユニット８５の機能的な内部構成例を示すブロック図である。ＡＥＤユニット８５、ＡＥＤ収納ボックス２８、ＡＥＤ収納センサ７４により、本実施形態に係るＡＥＤ部が実現される。
【００７１】
図４及び図５に示すように、ＡＥＤユニット８５は、ＡＥＤ４１と、ＡＥＤ４１と一体的に設けられた携帯端末８６とを有する。ＡＥＤ４１は、表示部８７と、操作ボタン８８と、スピーカ８９と、給電パッド９０とを有する。またＡＥＤ４１は、制御部９１と、高電圧部９２と、通信部９３と、電源制御部９４とを有する。
【００７２】
利用者３が、操作ボタン８８を押下することにより、制御部９１の制御に応じて、表示部８７が電圧のチャージ状態を表示する。チャージが完了すると、高電圧部９２が高電圧を給電パッド９０に供給する。その際に、スピーカ８９から「危険ですから離れてください！」といった音声による案内が行われる。
【００７３】
電源制御部９４は、充電用コイル９５を有する電池パックを有する（充電用コイルのみ図示）。ＡＥＤユニット８５がＡＥＤ収納ボックス２８に収納されると、ＡＥＤ収納ボックス２８側に設けられた充電コイルにより、非接触式の充電が行われる。また電源制御部９４には、外部機器への電源供給が可能な、例えばＵＳＢ端子のような端子部（図示なし）が設けられている。本実施形態では、所定のケーブル９６を介して端子部と、携帯端末８６とが接続されている。
【００７４】
通信部９３は、ＡＥＤ４１の内部状態を出力したり、外部より種々の設定を行うための信号等を入力することが可能となっている。通信部９３の具体的な構成は限定されない。
【００７５】
携帯端末８６としては、例えばＰＨＳ端末が用いられるが、これに限定されない。携帯端末８６は、制御部９８と、通話部９９と、操作キー群１００と、ＧＰＳ受信部１０１と、給電／通信部１０２とを有する。図４及び図５に示すように、通話部９９は、広域通信回線網と接続され通話が可能となっている。ＧＳＰ受信部１０１は、ＧＰＳ衛星からの電波に基づき携帯端末８６の現在の位置情報を取得可能である。給電／通信部１０２には、ＡＥＤ４１の電源制御部９４からケーブル９６を介して電源が供給される。また給電／通信部９６は、ＡＥＤ４１の通信部９３と通信可能である。
【００７６】
携帯端末８６は、ＡＥＤ収納ボックス２８からＡＥＤユニット８５が持ち出されると、自動的に通話可能な状態となる。例えば電源制御部９４の充電用コイル９５の充電状態が変化したことが制御部９１により感知され、その情報が通信部９３を介して出力される。携帯端末８６では、当該情報を給電／通信部１０２を介して受信し、制御部９８により自動的に通話状態に設定される。
【００７７】
本実施形態では、携帯端末８６は、駐車場管理センター８０のオペレータと通話可能となる。これに限定されず、ＡＥＤユニット８５の製造元、近所の消防署、又は専門の医療機関等と通話が可能となってもよい。なおＡＥＤユニット８５の持ち出しに伴って自動的に通話状態がスタートするための方法は限定されず、任意の方法が採用されてよい。
【００７８】
ＡＥＤユニット８５内部において、ＡＥＤ４１と携帯端末８６とは、取り外し不能に一体的に固定されている。なお携帯端末８６は、利用者３から視認できない状態となっていてもよい。例えば通話できる程度に通話部９９のみが開口していて、それ以外がカバー等で覆われていてもよい。また操作キー群１００は省略されてもよい。
【００７９】
次に、ＡＥＤ４１の使用手順について説明する。何らかの緊急事態が発生して利用者３がＡＥＤ４１の使用を所望したとする。ＡＥＤ収納ボックス２８の開閉扉４２は解錠しているので、利用者は、開閉扉４２を開けてＡＥＤユニット８５を持ち出すことができる。ＡＥＤユニット８５が取り出されると、その状態がＡＥＤ収納センサ７４により検知される。それに応じて、案内看板１５のＡＥＤ表示部５４にて点灯されていたＡＥＤの文字が、点滅して表示される。この際に所定の警報音等が発生してもよい。
【００８０】
またＡＥＤユニット８５が持ち出されると、携帯端末８６が、駐車場管理センター８０のオペレータと通話可能になる。これにより利用者３とオペレータとが自動的に対話可能となる。利用者３は、例えば状況の説明を行ったり、緊急事態への対応方法やＡＥＤの使用方法を、オペレータに尋ねることができる。この結果、自分自身を落ち着かせることや、ＡＥＤの適切な使用を含め、緊急事態に対して適切な対応をとることが可能となる。
【００８１】
オペレータ側では、利用者３への呼びかけ、緊急事態の発生の有無、及びその状況等を十分に聞き出すことができる。また遠隔操作により、カメラ３８の動画撮影を開始し、精算機１４周辺の映像をＬＩＶＥ映像として、管理ＰＣ８１のモニタに表示させることができる。なおカメラ３８の起動は、ＡＥＤユニット８５の持ち出しや、携帯端末８６との通話の開始と同時に、自動的に開始されてもよい。
【００８２】
またオペレータは、必要であれば、ＡＥＤ４１の使用方法や救命措置等を指導・ガイドする、又は利用者３を励ます、等のサポートを行うことが可能である。また、近所の消防署等に緊急車両を要請し、携帯端末８６との通話をその係員に繋ぐことが可能である。また専門の医療機関の緊急対応の係員に通話を繋ぐことも可能である。これにより医療機関等からの専門的なサポートを利用者に受けさせることができる。
【００８３】
緊急事態の発生に対して、利用者３がＡＥＤの使用を迷ってしまう場合も考えらえる。このような場合でも、精算機１４に設けられたインターフォン２５を使用することで、十分に対応することが可能である。利用者３がインターフォン２５の通話ボタン３７を押下すると、精算機１４はインターフォン２５からＤＣＥ７６と広域通信回線網８４を介して駐車場管理センター８０に発呼（コール）する。それに伴い、駐車場管理センター８０の管理ＰＣ８１が自動的にアラームを表示させ、適宜警報音も出してもよく、駐車場管理センター８０のオペレータに通知する。
【００８４】
オペレータはそれに応答するために、管理ＰＣ８１の所定の操作をおこなって現地駐車場１０の精算機１４との通話を開通させ、利用者３に呼びかける。そして例えばＡＥＤ４１の使用を指示した後は、携帯端末８６が繋がったときと同様に、利用者へのサポートが可能となる。この場合、インターフォンによる通話と、携帯端末８６による通話とが適宜切り替え可能であってもよい。
【００８５】
通常時では、インターフォン２６は、駐車場１０内のトラブルや要望、苦情の内容などを確認するために使用される。本発明では、オペレータとの対話を、ＡＥＤ４１の適切な使用を実現するために活用することが可能である。
【００８６】
またＡＥＤユニット８５が持ち出されるのに伴って、ＧＰＳ信号の移動履歴が逐次記録される。すなわち携帯端末８６の位置情報の履歴が逐次記憶される。例えば携帯端末８６内に搭載されたメモリ等により、ＧＰＳ信号を一定時間記録することができる。携帯端末８６の位置情報は、駐車場管理センター８０に送信される。これによりＡＥＤユニット８５の現在地の情報が取得可能となる。なお携帯端末８６に、ジャイロセンサや加速度センサ等が設けられ、ＡＥＤユニット８５の移動が検出可能であってもよい。
【００８７】
ＡＥＤユニット８５が持ち出されてＡＥＤの文字が点滅表示される時間が設定されてもよい。すなわちＡＥＤユニット８５が持ち出され所定の時間が経過した後に、一端ＡＥＤの文字が消灯され、ＡＥＤユニット８５の返却をもって、再度ＡＥＤの文字が点灯されてもよい。所定の時間としては、例えばＡＥＤ４１の持ち出しから、緊急車両が到着するまでの時間として、約１５分程度に設定される。この時間に限定されず、また遠隔操作によって延長したり、途中で消灯させることも可能である。
【００８８】
ＡＥＤ４１の返却の検知は、ＡＥＤ収納センサ７４による第１の状態の検知により実行可能である。これに加えて携帯端末８６の位置情報が用いられてもよい。例えば精算機本体３９のメモリ６２に精算機１４の位置情報が記憶され、ＣＰＵ６１により、携帯端末８６により取得された位置情報と、精算機１４の位置情報とが合致するか否かが判定される。この際ＣＰＵ６１は、判定部として機能する。
【００８９】
案内看板１５にて、ＡＥＤ４１の使用中（第２の状態）が報知された後、ＡＥＤ収納センサ７４により第１の状態が検知され、上記のＣＰＵ６１の判定の結果が肯定である場合に、ＡＥＤユニット８５の返却の完了が検知されてもよい。そしてＡＥＤ表示部５４により、第１の状態が報知されてもよい。これによりＡＥＤユニット８５の返却を確実に検知することが可能となり、第１の状態の報知を正確に実行することが可能となる。またＡＥＤユニット８５の返却を確認するために係員を駐車場に派遣する必要をなくすことができる。
【００９０】
利用者３がＡＥＤユニット８５を返却せず放置したり、失念した場合には、オペレータが携帯端末８６を発呼して通話により返却を要請することができる。また携帯端末８５のＧＰＳの位置情報から、ＡＥＤユニット８５の場所を特定することもできる。従って管理ＰＣ８１上の地図アプリケーション上に、現在の位置情報を表示させ、別途係員（駐車場の管理や釣銭等の補充、回収を行う係員ら）に指示して、回収させることも可能である。
【００９１】
昨今において、ＡＥＤを多数設置して普及させ、緊急対応を一般の住民が行うことが推奨されている。上記で説明したように、本発明者は、可搬型のＡＥＤを駐車場の精算機に設置し、その管理を駐車場管理センターで行うことを新規に考案した。
【００９２】
上でも述べたが、これにより以下のような効果を発揮させることが可能となる。
駐車場の近隣の住民などもＡＥＤを活用でき、緊急時には精算機の通信・通話機能を利用して、緊急車両の誘導や、人命蘇生措置等のサポートを行う事ができる。
精算機にＡＥＤを設置することで、近隣の住民などにも駐車場の場所を覚えてもらい易く、駐車場の稼働率が上昇する。
携帯端末のＧＰＳの位置情報で、持ち出し場所の特定や、返却有無の確認が駐車場センターから可能となる。
ＡＥＤの普及は公益財団法人日本心臓財団や様々なＮＰＯ法人が推進しており、各自治体でも設置の協力を求めている。本発明によれば、駐車場の営業目的だけでなく、社会貢献が可能となる。
ＡＥＤを設置することで補助金が出る自治体もあるため、ＡＥＤ設置コストを抑えることが可能となる。
遊休地の活用として、駐車場の運営に乗り出す土地オーナーが増加する。
駐車場を管理するシステムを利用することが可能であるので、緊急時に対応可能な本発明に係るシステムを構築するためのコストを十分に抑えることが可能となる。
【００９３】
これらの効果を含む本開示中に記載された効果はあくまで例示であって限定されるものではない。また上記の複数の効果の記載は、それらの効果が必ずしも同時に発揮されるということを意味しているのではない。条件等により、少なくとも上記した効果のいずれかが得られることを意味しており、もちろん本開示中に記載されていない効果が発揮される可能性もある。
【００９４】
＜その他の実施形態＞
本発明は、以上説明した実施形態に限定されず、他の種々の実施形態を実現することができる。
【００９５】
例えば緊急事態が発生していないのにＡＥＤユニット８５を持ち出すといった、心無い悪戯をする者が現れる可能性がある。通常の駐車場システムにおいては、精算機１４や案内看板１５への悪戯や不正行為、駐車車両５'に対する盗難や車両荒らし等の犯罪行為等を防止するために、防犯カメラ等が設置されることが多い。そのような防犯カメラや、上記で説明した精算機１４のカメラユニット２７により、駐車場内の人物の行動を監視・記録が可能であるので、ＡＥＤに対する悪戯を防止することにも非常に有利である。
【００９６】
またＡＥＤの悪戯を防止するために、ＡＥＤ収納ボックス２８の開閉扉４２が常時施錠されていてもよい。そして駐車場管理センター８０のオペレータによる判断により、適宜開閉扉４２の施錠及び解錠が制御されてもよい。
【００９７】
例えば利用者３がＡＥＤの使用を所望する場合には、まずインターフォン２５の通話ボタン３７が押下され、オペレータとの対話が開始する。利用者３は、現在の状況やＡＥＤを使用したい旨をオペレータに説明する。オペレータは、利用者３の説明内容やカメラ３８からの撮影画像をもとに、例えば運用ルールに則り、ＡＥＤを使用すべき状況か否かを判断する。そしてＡＥＤの使用が必要だと判断した場合には、遠隔操作により、開閉扉４２を解錠する。この際には、カメラ３８を介して利用者３に免許証の提示を依頼したり、電話番号の申告を依頼したりしてもよい。
【００９８】
遠隔操作により開閉扉４２を解錠する方法は限定されないが、例えば遠隔操作により、ＡＥＤ収納ボックス２８の開閉扉４２の鍵をロックしているソレノイド等の通電をＯＦＦさせ、ソレノイドによってロックされていた鍵を移動させることで、解錠が実現される。その他の構成が採用されてもよい。
【００９９】
ＡＥＤユニット８５の返却時には、ＡＥＤ収納センサ７４の検知や、ＧＰＳ信号による位置情報を用いた返却の検知等をもとに、オペレータの遠隔操作、または自動的に開閉扉４２が施錠される。そして開閉扉４２の施錠後に、ＡＥＤ表示部５４にてＡＥＤの文字が点灯される。このように駐車場管理センター８０のオペレータの判断によりＡＥＤの使用の許可及び否認が行われてもよい。これにより不審者等が勝手にＡＥＤを持ち出してしまうといった悪戯を防止することができる。
【０１００】
以上説明した各形態の特徴部分のうち、少なくとも２つの特徴部分を組み合わせることも可能である。すなわち各実施形態で説明した種々の特徴部分は、各実施形態の区別なく、任意に組み合わされてもよい。
【産業上の利用可能性】
【０１０１】
住宅地に点在している小規模な駐車場と、それを遠隔管理する駐車場システムにおいて、実施して好適であり、有料駐車場の付加機能としての利用可能性は極めて高いものと言える。
【符号の説明】
【０１０２】
５…車両
１０…駐車場
１４…駐車料金精算機
１５…案内看板
１９…フラップ装置
２５…インターフォン
２６…スピーカ
２７…カメラユニット
２８…ＡＥＤ収納ボックス
４１…ＡＥＤ
４２…開閉扉
５４…ＡＥＤ表示部
７０…フラップ装置制御部
７３…収納ボックス鍵ロック部
７４…ＡＥＤ収納センサ（検知部）
７５…通信ユニット
８０…駐車場管理センター
８５…ＡＥＤユニット
８６…携帯端末
１０１…ＧＰＳ受信部
【図１】
0006386297.tif 000002
【図２】
0006386297.tif 000003
【図３】
0006386297.tif 000004
【図４】
0006386297.tif 000005
【図５】
0006386297.tif 000006